(57)【要約】      （修正有）【課題】使用者がヒーター部を容易に着脱可能で、且つ面ファスナーの縫製跡が外観上現れない着脱可能ヒーター内蔵リバーシブルベストの提供。【解決手段】面状発熱ヒーターを布で包みこの布上に面ファスナーを貼り付けたヒーター部と、表生地と裏生地の間に中生地を設けこの中生地に面ファスナーを設けたリバーシブルベスト。【選択図】図２
0003130604.tif 000002
【実用新案登録請求の範囲】
【請求項１】
繊維により形成されたベストであり、ベスト内部に着脱可能なヒーター及びバッテリーを組み込んだことを特徴とする着脱可能ヒーター内蔵リバーシブルベスト。
【請求項２】
表生地と裏生地の間に中生地を設け、中生地に縫製されたマジックテープなどで着脱可能なヒーターを装着することにより、表生地及び裏生地よりマジックテープなどの縫製を隠すことができることを特徴とした請求項１記載の着脱可能ヒーター内蔵リバーシブルベスト。
【考案の詳細な説明】
【技術分野】
【０００１】  本考案は、着脱可能ヒーターを内蔵したリバーシブルベストに関する。
【背景技術】
【０００２】  従来からヒーター内蔵リバーシブルベストは種々のものが提案されている。ベストの内部にコード式のヒーターなどを内蔵したものが代表例である。【０００３】  ヒーターを取外しできる方法として、面状発熱ヒーターなどを用いることが考えられるが、縫製加工の問題によりベストの表生地若しくは裏生地いずれか一方において縫製跡が出てしまうため、リバーシブルとして使用できないものである。
【考案の開示】
【考案が解決しようとする課題】
【０００４】  従来のコード式ヒーターなどを内蔵した場合、使用者が容易にヒーターを取り外すことが難しく、このためベストの洗濯時にはコード式ヒーターを内蔵したまま行うものであった。【０００５】  このため、コード式ヒーター自体は防水処理がされていても、プラグ部分が完全に乾くまで使用ができないなど、使用者の使い勝手が悪く、又不安感を与えるものであった。【０００６】  一方で、面状発熱ヒーターなどをベスト内部にマジックテープなどで固定する方法がある。しかし、この方法ではマジックテープの縫製跡が生地の表面に露出してしまうため、リバーシブルベストとして表生地及び裏生地の両面使用ができなくなってしまう。
【考案を解決するための手段】
【０００７】  繊維により形成されたリバーシブルベスト内部に、布で包まれた面状発熱ヒーターなどの使用者が容易に着脱可能なヒーターを組み込む。
【０００８】  表生地と裏生地の間に中生地を設け、中生地に縫製されたマジックテープなどで着脱可能なヒーターを装着することにより、表生地及び裏生地の外観よりマジックテープなどの縫製跡を隠す。
【考案の効果】
【０００９】  請求項１にかかる本考案の着脱可能ヒーター内蔵リバーシブルベストでは、ヒーターを取外すことが可能であり、使用者が安心してベスト部分のみの洗濯などを行うことができる。
【００１０】  請求項２にかかる本考案の着脱可能ヒーター内蔵リバーシブルベストでは、中生地を設けることにより着脱式ヒーターを固定するためのマジックテープの縫製跡が表生地及び裏生地に見えないため、意匠を損なうことがない。
【考案を実施するための最良の形態】
【００１１】  以下、本考案の実施の形態を図面を参照しつつ説明する。【００１２】図１は、本考案の実施の形態に係る着脱可能ヒーター内蔵リバーシブルベストの概略全体図であり、同図（ａ）は正面図、同図（ｂ）は裏面図である。また図２は図１のＡ−ＡＡにおける断面図である。【００１３】図２において、表生地と裏生地の間に中生地を設け、且つこの中生地にマジックテープを貼り付ける構造とする。【００１４】これにより、ヒーター部に貼り付けられれたマジックテープにより、ヒーター部が着脱可能となり、且つマジックテープの縫製跡が外観上現れない構造となる。【００１５】更に、ヒーターを使用者が取り出すことができるように、表生地の裏面にはファスナーを設け、且つこのファスナーにより意匠が損なわれないよう、切り返しを設ける。【００１６】なお、表生地と中生地の縫製位置は、上述の切り返しの中及びベスト下端にすることで、中生地の縫製跡も外観上現れない構造となる。【００１７】図３は、本考案の実施に係るヒーター部である。面状発熱ヒーター全体を布で包み、この布にマジックテープを貼り付けることで、ベストの中生地と着脱可能とする。
【図面の簡単な説明】
【００１８】
【図１】着脱可能ヒーター内蔵リバーシブルベストの概略全体図
【図２】着脱可能ヒーター内蔵リバーシブルベスト内部の断面図（図２のＡ−ＡＡ間）
【図３】ヒーター部概略図
【符号の説明】
【００１９】１ａ及び１ｂ  ：  表生地
２  ：            中生地
３ａ及び３ｂ  ：  切り返し
４  ：  裏生地
５ａ及び５ｂ  ：  ヒーター部
６  ：            ファスナー
７ａ及び７ｂ  ：  マジックテープ
【図１】
0003130604.tif 000003
【図２】
0003130604.tif 000004
【図３】
0003130604.tif 000005
【手続補正書】
【提出日】平成18年12月19日(2006.12.19)
【手続補正１】
【補正対象書類名】実用新案登録請求の範囲
【補正対象項目名】全文
【補正方法】変更
【補正の内容】
【実用新案登録請求の範囲】
【請求項１】
繊維により形成されたベストであり、ベスト内部に着脱可能なヒーター及びバッテリーを組み込んだことを特徴とする着脱可能ヒーター内蔵リバーシブルベスト。
【請求項２】
表生地と裏生地の間に中生地を設け、中生地に縫製された面ファスナーなどで着脱可能なヒーターを装着することにより、表生地及び裏生地より面ファスナーなどの縫製を隠すことができることを特徴とした請求項１記載の着脱可能ヒーター内蔵リバーシブルベスト。
【手続補正２】
【補正対象書類名】明細書
【補正対象項目名】０００６
【補正方法】変更
【補正の内容】
【０００６】一方で、面状発熱ヒーターなどをベスト内部に面ファスナーなどで固定する方法がある。しかし、この方法では面ファスナーの縫製跡が生地の表面に露出してしまうため、リバーシブルベストとして表生地及び裏生地の両面使用ができなくなってしまう。
【手続補正３】
【補正対象書類名】明細書
【補正対象項目名】０００８
【補正方法】変更
【補正の内容】
【０００８】表生地と裏生地の間に中生地を設け、中生地に縫製された面ファスナーなどで着脱可能なヒーターを装着することにより、表生地及び裏生地の外観より面ファスナーなどの縫製跡を隠す。
【手続補正４】
【補正対象書類名】明細書
【補正対象項目名】００１０
【補正方法】変更
【補正の内容】
【００１０】請求項２にかかる本考案の着脱可能ヒーター内蔵リバーシブルベストでは、中生地を設けることにより着脱式ヒーターを固定するための面ファスナーの縫製跡が表生地及び裏生地に見えないため、意匠を損なうことがない。
【手続補正５】
【補正対象書類名】明細書
【補正対象項目名】００１３
【補正方法】変更
【補正の内容】
【００１３】図２において、表生地と裏生地の間に中生地を設け、且つこの中生地に面ファスナーを貼り付ける構造とする。
【手続補正６】
【補正対象書類名】明細書
【補正対象項目名】００１４
【補正方法】変更
【補正の内容】
【００１４】これにより、ヒーター部に貼り付けられた面ファスナーにより、ヒーター部が着脱可能となり、且つ面ファスナーの縫製跡が外観上現れない構造となる。
【手続補正７】
【補正対象書類名】明細書
【補正対象項目名】００１７
【補正方法】変更
【補正の内容】
【００１７】図３は、本考案の実施に係るヒーター部である。面状発熱ヒーター全体を布で包み、この布に面ファスナーを貼り付けることで、ベストの中生地と着脱可能とする。
【手続補正８】
【補正対象書類名】明細書
【補正対象項目名】００１９
【補正方法】変更
【補正の内容】
【００１９】１ａ及び１ｂ  ：  表生地
２  ：            中生地
３ａ及び３ｂ  ：  切り返し
４  ：  裏生地
５ａ及び５ｂ  ：  ヒーター部
６  ：            ファスナー
７ａ及び７ｂ  ：  面ファスナー